(57)【要約】【課題】通話に使用する携帯電話機の選択を、携帯電話機に対応する相手先の優先度に応じて適正化できる「ハンズフリー通話装置」を提供すること。【解決手段】電話帳に電話番号が登録された相手先についての優先度に関連する所定の相手先優先度関連情報が記憶された相手先優先度関連情報記憶手段１２と、任意の携帯電話機２を介したハンズフリー通話中に、他の携帯電話機２に着信があった場合に、前記相手先優先度関連情報に基づいて、他の携帯電話機２に対応する相手先の優先度が任意の携帯電話機２に対応する相手先の優先度よりも高いか否かを判定する優先度判定手段１０４と、これによって肯定的な判定結果が得られた場合に、他の携帯電話機２を自動的にハンズフリー通話状態に切り替える通話切り替え手段１０３１とを備えたこと。【選択図】図２
2013223120.tif 000002
【特許請求の範囲】
【請求項１】
複数の携帯電話機が登録され、接続された前記複数の携帯電話機における着信があった携帯電話機をハンズフリー通話状態に設定して、当該ハンズフリー通話状態の携帯電話機を介した相手先とのハンズフリー通話を可能とするハンズフリー通話装置であって、
電話帳に電話番号が登録された前記相手先についての優先度に関連する所定の相手先優先度関連情報が、前記相手先の電話番号に対応付けられた状態で記憶された相手先優先度関連情報記憶手段と、
前記複数の携帯電話機における任意の携帯電話機を介した前記ハンズフリー通話中に、前記複数の携帯電話機における他の携帯電話機に着信があった場合に、前記相手先優先度関連情報記憶手段に記憶された前記相手先優先度関連情報に基づいて、前記他の携帯電話機に対応する前記相手先の優先度が前記任意の携帯電話機に対応する前記相手先の優先度よりも高いか否かを判定する優先度判定手段と、
この優先度判定手段によって肯定的な判定結果が得られた場合に、前記他の携帯電話機を前記任意の携帯電話機に替えて自動的に前記ハンズフリー通話状態に切り替える通話切り替え手段と
を備えたことを特徴とするハンズフリー通話装置。
【請求項２】
前記他の携帯電話機を前記ハンズフリー通話状態に切り替えた後に、前記他の携帯電話機を介した前記ハンズフリー通話が終了した場合に、前記任意の携帯電話機に対応する相手先の電話番号を表示部に選択可能な状態で表示する電話番号表示手段を備え、
前記電話番号表示手段によって表示された前記電話番号が選択された場合に、当該電話番号への発信を行うこと
を特徴とする請求項１に記載のハンズフリー通話装置。
【請求項３】
前記優先度判定手段によって肯定的な判定結果が得られた場合に、前記他の携帯電話機を前記ハンズフリー通話状態に切り替える前に、前記他の携帯電話機に対応する相手先に対して、通話接続を行う旨を告知する通話接続告知手段を備えたこと
を特徴とする請求項１または請求項２に記載のハンズフリー通話装置。
【請求項４】
前記相手先優先度関連情報の入力操作が可能とされた操作手段と、
この操作手段による前記入力操作に応じた前記相手先優先度関連情報を前記相手先優先度関連情報記憶手段に記録する相手先優先度関連情報記録手段と
を備えたことを特徴とする請求項１乃至請求項３のいずれか１項に記載のハンズフリー通話装置。
【発明の詳細な説明】
【技術分野】
【０００１】
本発明は、ハンズフリー通話装置に係り、特に、複数の携帯電話機を登録してハンズフリー通話に利用するのに好適なハンズフリー通話装置に関する。
【背景技術】
【０００２】
従来から、車載機には、運転の安全上の理由や法規制上の理由により、運転者が携帯電話機を持たずに通話を行うハンズフリー通話が可能とされた車載用ハンズフリー通話装置が採用されていた。
【０００３】
このような車載用ハンズフリー通話装置の中には、Bluetooth（ブルートゥース）（登録商標）による無線通信によって携帯電話機を接続して、運転中においても比較的安全かつ容易に通話を行うことができるものがあった。
【０００４】
また、車載用ハンズフリー通話装置の中には、複数の携帯電話機を登録してハンズフリー通話に選択的に利用できるものもあった（例えば、特許文献１参照）。
【先行技術文献】
【特許文献】
【０００５】
【特許文献１】特開２００５−２８６５５３号公報
【発明の概要】
【発明が解決しようとする課題】
【０００６】
昨今においては、個人で複数の携帯電話機を所有することは珍しくなくなった。このため、車載用ハンズフリー通話装置に２台の携帯電話機がBluetooth機器として登録されている場合において、１台を使用したハンズフリー通話を行っている最中に、もう１台に電話がかかってくるような場面は十分に想定され得る。
【０００７】
しかしながら、このような場面において、従来の車載用ハンズフリー通話装置においては、既に通話中となっている１台の携帯電話機の通話が優先され、後から電話がかかってきたもう１台の携帯電話機の相手先が通話を優先すべき重要な相手先の場合であっても、これに迅速に対応することができなかった。
【０００８】
この点、特許文献１には、複数の携帯電話機にハンズフリー通話の優先順位を設定しておき、１台の携帯電話機を用いたハンズフリー通話中に、当該携帯電話機よりも優先順位が上位の他の１台の携帯電話機に着信があった場合に、当該他の１台の携帯電話機を用いたハンズフリー通話に自動的に切り替える技術が開示されている。
【０００９】
しかるに、特許文献１においては、優先順位の設定対象が携帯電話機とされているため、例えば、優先順位が上位に設定された携帯電話機に、優先度が高い相手先だけでなく優先度が低い相手先も電話帳登録されており、逆に、優先順位が下位に設定された携帯電話機に、優先度が低い相手先だけでなく優先度が高い相手先も電話帳登録されているような場合に、携帯電話機の優先順位に引きずられて、優先順位が上位側の携帯電話機に対する優先度が低い相手先からの着信を、優先順位が下位側の携帯電話機を使用した優先度が高い相手先との通話よりも優先させてしまうといった不合理な通話切り替えがなさる虞があった。
【００１０】
そこで、本発明は、このような点に鑑みなされたものであり、ハンズフリー通話に使用する携帯電話機の選択を、携帯電話機に対応する相手先の優先度に応じて適切に行うことができるハンズフリー通話装置を提供することを目的とするものである。
【課題を解決するための手段】
【００１１】
前述した目的を達成するため、本発明に係るハンズフリー通話装置は、複数の携帯電話機が登録され、接続された前記複数の携帯電話機における着信があった携帯電話機をハンズフリー通話状態に設定して、当該ハンズフリー通話状態の携帯電話機を介した相手先とのハンズフリー通話を可能とするハンズフリー通話装置であって、電話帳に電話番号が登録された前記相手先についての優先度に関連する所定の相手先優先度関連情報が、前記相手先の電話番号に対応付けられた状態で記憶された相手先優先度関連情報記憶手段と、前記複数の携帯電話機における任意の携帯電話機を介した前記ハンズフリー通話中に、前記複数の携帯電話機における他の携帯電話機に着信があった場合に、前記相手先優先度関連情報記憶手段に記憶された前記相手先優先度関連情報に基づいて、前記他の携帯電話機に対応する前記相手先の優先度が前記任意の携帯電話機に対応する前記相手先の優先度よりも高いか否かを判定する優先度判定手段と、この優先度判定手段によって肯定的な判定結果が得られた場合に、前記他の携帯電話機を前記任意の携帯電話機に替えて自動的に前記ハンズフリー通話状態に切り替える通話切り替え手段とを備えたことを特徴としている。
【００１２】
そして、このような構成によれば、ハンズフリー通話に使用中の携帯電話機の他の携帯電話機に、ハンズフリー通話中の相手先よりも優先度が高い相手先からの着信があった場合に、ハンズフリー通話に使用する携帯電話機を他の携帯電話機に切り替えることができるので、ハンズフリー通話に使用する携帯電話機の選択を、携帯電話機に対応する相手先の優先度に応じて適切に行うことができる。
【００１３】
また、前記他の携帯電話機を前記ハンズフリー通話状態に切り替えた後に、前記他の携帯電話機を介した前記ハンズフリー通話が終了した場合に、前記任意の携帯電話機に対応する相手先の電話番号を表示部に選択可能な状態で表示する電話番号表示手段を備え、前記電話番号表示手段によって表示された前記電話番号が選択された場合に、当該電話番号への発信を行ってもよい。
【００１４】
そして、このような構成によれば、当初の通話相手先との通話が不十分なまま優先度が高い他の相手先との通話に切り替えた後に、他の相手先との通話の完了を待って当初の通話相手先との通話を再開させる作業を簡便に行うことができるので、利便性を向上させることができる。
【００１５】
さらに、前記優先度判定手段によって肯定的な判定結果が得られた場合に、前記他の携帯電話機を前記ハンズフリー通話状態に切り替える前に、前記他の携帯電話機に対応する相手先に対して、通話接続を行う旨を告知する通話接続告知手段を備えてもよい。
【００１６】
そして、このような構成によれば、通話切り替えに多少の時間がかかったとしても、優先度が高い相手先に対して通話接続を告知することができるので、当該相手先が待ちきれずに回線を切断する事態を抑制することができる。
【００１７】
さらにまた、前記相手先優先度関連情報の入力操作が可能とされた操作手段と、この操作手段による前記入力操作に応じた前記相手先優先度関連情報を前記相手先優先度関連情報記憶手段に記録する相手先優先度関連情報記録手段とを備えてもよい。
【００１８】
そして、このような構成によれば、相手先の優先度をユーザ操作に応じて自由に設定することができるので、ユーザの意思を忠実に反映した通話切り替えを行うことができる。
【発明の効果】
【００１９】
本発明によれば、ハンズフリー通話に使用する携帯電話機の選択を、携帯電話機に対応する相手先の優先度に応じて適切に行うことができる。
【図面の簡単な説明】
【００２０】
【図１】本発明に係るハンズフリー通話装置の実施形態を示す構成図
【図２】図１のハンズフリー通話装置の制御部を示すブロック図
【図３】本発明に係るハンズフリー通話装置の実施形態を示すフローチャート
【発明を実施するための形態】
【００２１】
以下、本発明に係るハンズフリー通話装置としての車載機に搭載された車載用ハンズフリー通話装置の実施形態について、図１乃至図３を参照して説明する。
【００２２】
図１に示すように、本実施形態における車載用ハンズフリー通話装置１には、無線通信手段としてのBluetooth通信機能を搭載した複数台（図１においては２台）の携帯電話機２が登録されている。そして、車載用ハンズフリー通話装置１は、各携帯電話機２を選択的に使用して、相手先（通話相手）との間でのハンズフリー通話を行うことが可能とされている。
【００２３】
また、図１に示すように、車載用ハンズフリー通話装置１は、大別して、ハンズフリーユニット３と、このハンズフリーユニット３にそれぞれ接続された操作手段としての操作部５、マイク６、スピーカ／ヘッドホン７および表示部としてのディスプレイ８とによって構成されている。
【００２４】
なお、操作部５としては、ディスプレイ８のタッチパネル、リモコン、音声入力手段（マイク６でもよい）等の種々の入力インターフェースを挙げることができる。
【００２５】
次に、ハンズフリーユニット３について詳述すると、図１に示すように、ハンズフリーユニット３は、車載用ハンズフリー通話装置１によるハンズフリー通話のための種々の動作を制御する制御部１０を有している。この制御部１０は、ＣＰＵ、このＣＰＵの実行プログラムが格納されたＲＯＭ、当該ＣＰＵの処理結果の一時的な保存等に用いるＲＡＭおよびＩ／Ｏバス等によって実現してもよい。
【００２６】
また、図１に示すように、ハンズフリーユニット３は、制御部１０にそれぞれ接続されたBluetooth通信部１１、記憶部１２、ユーザインターフェース（Ｉ／Ｆ）１４、音声インターフェース（Ｉ／Ｆ）１５および画像インターフェース（Ｉ／Ｆ）１６を有している。
【００２７】
ここで、Bluetooth通信部１１は、制御部１０の制御の下で、Bluetooth規格に基づいた近距離無線通信が可能とされており、このBluetooth通信部１１によって、前述したBluetooth通信機能を搭載した複数の携帯電話機２との間での無線通信による接続状態を同時に確立することが可能とされている。このBluetooth通信部１１と制御部１０との間では、ハンズフリー通話の際に、ユーザ（発話者）の発話音声データおよび相手先からの受話音声データが授受されるようになっている。なお、ハンズフリー通話には、基本的には、車載用ハンズフリー通話装置１に接続されている複数の携帯電話機２のうち、着信があった携帯電話機２または制御部１０によって発信が指示された携帯電話機２が使用される。
【００２８】
また、記憶部１２は、各種のデータの記憶に用いられるようになっている。記憶部１２に記憶されるデータには、例えば、機器登録（ペアリング）の際等において、制御部１０によって携帯電話機２から読み出された電話帳データや、発着履歴データ等が含まれている。特に、本実施形態において、記憶部１２は、相手先優先度関連情報記憶手段としての機能を有しており、携帯電話機２から読み出された電話帳データに電話番号登録されている相手先についての優先度に関する所定の相手先優先度関連情報を、相手先の電話番号に対応付けられた状態で記憶するようになっている。この記憶部１２は、フラッシュメモリ等の不揮発性メモリによって実現してもよい。
【００２９】
さらに、ユーザインターフェース１４には、前述した操作部５が接続されており、この操作部５から入力された操作結果が、ユーザインターフェース１４を介して制御部１０に入力されるようになっている。
【００３０】
さらにまた、音声インターフェース１５には、前述したマイク６およびスピーカ／ヘッドホン７がそれぞれ接続されている。音声インターフェース１５には、ハンズフリー通話の際に、マイク６から発話音声データが入力されるようになっており、この入力された発話音声データは、音声インターフェース１５を介して制御部１０へと入力されるようになっている。そして、制御部１０に入力された発話音声データは、制御部１０によって、Bluetooth通信部１１および発信が指示された携帯電話機２（通常は、相手先が電話帳登録された携帯電話機２）を介して相手先の電話機へと送信されるようになっている。また、音声インターフェース１５には、ハンズフリー通話の際に、制御部１０から受話音声データが入力されるようになっており、この入力された受話音声データは、音声インターフェース１５を介してスピーカ／ヘッドホン７に出力され、このスピーカ／ヘッドホン７によって音声に変換されるようになっている。
【００３１】
さらにまた、画像インターフェース１６には、前述したディスプレイ８が接続されている。画像インターフェース１６には、制御部１０によって生成された各種の画像データ（操作画面の描画データ等）が入力されるようになっており、この入力された画像データは、画像インターフェース１６からディスプレイ８に出力されて表示されるようになっている。
【００３２】
次に、制御部１０について更に詳述すると、図２に示すように、制御部１０は、登録部１０１を有しており、この登録部１０１は、車室内に存在するBluetooth通信機能（車載用ハンズフリー通話装置１との間でプロファイルが対応するもの）を搭載した携帯電話機２を、複数台登録することが可能とされている。この登録は、ディスプレイ８に登録用の操作画面を表示した上で、表示された操作画面に対する操作部５による入力操作にともなって行うようにしてもよい。また、この登録部１０１による携帯電話機２の登録は、Bluetooth通信部１１を介した無線通信によって携帯電話機２から取得された携帯電話機２の個体識別情報（例えば、ＰＩＮコード）を記憶することによって行うようにしてもよい。
【００３３】
また、図２に示すように、制御部１０は、相手先優先度関連情報記録手段としての相手先優先度関連情報記録部１０２を有している。この相手先優先度関連情報記録部１０２は、前述した相手先優先度関連情報を入力するための入力画面をディスプレイ８に表示した上で、表示された当該入力画面に対する操作部５による入力操作に応じた相手先優先度関連情報を、記憶部１２に記録するようになっている。このとき、相手先優先度関連情報記録部１０２は、相手先優先度関連情報を、制御部１０によって各携帯電話２から読み出された電話帳データに登録されている相手先の電話番号と対応付けた状態で記録するようになっている。また、相手先優先度関連情報の入力画面は、各携帯電話２から読み出された電話帳データに登録されている相手先（電話番号）を、相手先優先度関連情報の付与対象（換言すれば、優先度の設定対象）として表示した上で、表示された各相手先に所望の相手先優先度関連情報を付与する操作を許容する画面であってもよい。ただし、電話帳内の全ての相手先に対して相手先優先度関連情報を操作入力によって付与することは煩雑であるので、例えば、相手先優先度関連情報として、優先度「高」、優先度「中」、優先度「低」の３段階の情報を付与できるとしたら、「高」および「中」だけを操作入力に応じて付与して、それ以外の相手先は、自動的に「低」が付与されるように構成してもよい。ただし、相手先優先度関連情報は、優先度を直接的に表現するような情報に限る必要は無く、後述する優先度判定部１０４において優劣を認識できるようにアプリケーション上での取り決めがなされているのであれば、いかなる態様の情報であってもよい。
【００３４】
さらに、図２に示すように、制御部１０は、ハンズフリー通話処理部１０３を有している。このハンズフリー通話処理部１０３は、基本的に、登録された各携帯電話機２のうちの着信があった携帯電話機２をハンズフリー通話状態に設定して、当該着信があった携帯電話機２を使用したハンズフリー通話を許容するようになっている。ハンズフリー通話状態への設定は、例えば、受話音声データおよび発話音声データの経路である音声パスを、対象となる携帯電話機２に接続することや、対象となる携帯電話機２に対して、受話音声データの入力を指示すること等によって行うようにしてもよい。ただし、ハンズフリー通話状態への設定は、このような方法に限定されるものではなく、対象となる携帯電話機２を使用したハンズフリー通話を確立するためのあらゆる方法が考えられる。
【００３５】
さらにまた、図２に示すように、制御部１０は、優先度判定手段としての優先度判定部１０４を有している。この優先度判定部１０４は、各携帯電話機２のうちの任意の１台の携帯電話機２を使用したハンズフリー通話中に、他の携帯電話機２に着信があったことを当該他の携帯電話機２からの着信番号通知等に基づいて検知すると、記憶部１２から、ハンズフリー通話中の通話相手先に対応する相手先優先度関連情報と、着信があった着信相手先に対応する相手先優先度関連情報とをそれぞれ読み出すようになっている。この読み出しは、各携帯電話機２にそれぞれ対応する通話／着信相手先の電話番号に紐付けて速やかに行うことができる。そして、優先度判定部１０４は、読み出された相手先優先度関連情報に基づいて、着信相手先の優先度が、通話相手先の優先度よりも高いか否かを判定するようになっている。
【００３６】
また、図２に示すように、ハンズフリー通話処理部１０３は、通話切り替え手段としての通話切り替え部１０３１を有している。この通話切り替え部１０３１は、優先度判定部１０４によって肯定的な判定結果が得られたことを契機として、着信があった携帯電話機２を、ハンズフリー通話に使用中の携帯電話機２に替えて自動的にハンズフリー通話状態に切り替えるようになっている。
【００３７】
このような構成によれば、ハンズフリー通話に使用中の携帯電話機２の他の携帯電話機２に、通話相手先よりも優先度が高い相手先からの着信があった場合に、ハンズフリー通話に使用する携帯電話機２を他の携帯電話機２に切り替えることができるので、ハンズフリー通話に使用する携帯電話機２の選択を、携帯電話機２に対応する相手先の優先度に応じて適切に行うことができる。また、相手先の優先度をユーザ操作に応じて自由に設定することができるので、ユーザの意思を忠実に反映したハンズフリー通話切り替えを行うことができる。
【００３８】
上記構成に加えて、更に、本実施形態において、制御部１０は、図２に示すように、電話番号表示手段としての電話番号表示部１０５を有している。この電話番号表示部１０５は、着信があった携帯電話機２がハンズフリー通話状態に切り替えられた後に、この携帯電話機２を介したハンズフリー通話が終了した場合に、当初（通話切り替え前に）ハンズフリー通話に使用していた携帯電話機２に対応する相手先の電話番号を、ディスプレイ８に選択可能な状態で表示するようになっている。このとき、電話番号表示部１０５は、電話番号とともに、対応する相手先の名称等を併せて表示してもよいことは勿論である。そして、このようにして表示された電話番号が操作部５の操作によって選択された場合には、ハンズフリー通話処理部１０３は、選択された電話番号に対する発信を行うようになっている。このときの発信は、当該電話番号が電話帳登録されている携帯電話機２を使用して行うようにしてもよい。
【００３９】
このような構成によれば、当初の相手先との通話が不十分なまま優先度が高い他の相手先との通話に切り替えた後に、他の相手先との通話の完了を待って当初の相手先との通話を再開させる作業を簡便に行うことができるので、利便性を向上させることができる。
【００４０】
上記構成に加えて、更に、本実施形態において、制御部１０は、図２に示すように、通話接続告知手段としての通話接続告知部１０６を有している。この通話接続告知部１０６は、優先度判定部１０４によって肯定的な判定結果が得られた場合に、着信があった携帯電話機２をハンズフリー通話状態に切り替える前に、着信相手先に対して、通話接続を行う旨を告知するようになっている。この告知は、例えば、「接続しますので少々お待ち下さい」等の音声データを着信相手先に送信することによって行ってもよい。
【００４１】
このような構成によれば、通話切り替えに多少の時間がかかったとしても、優先度が高い相手先に対して通話接続を告知することができるので、当該相手先が待ちきれずに回線を切断する事態を抑制することができる。
【００４２】
次に、本実施形態の作用について、図３を参照して説明する。
【００４３】
なお、便宜上、初期状態においては、複数台の携帯電話機２が既に車載用ハンズフリー通話装置１に登録済みであり、Bluetooth通信部１１を介した接続状態が確立されているものとする。
【００４４】
そして、初期状態から、図３のステップ１（ＳＴ１）において、ハンズフリー通話処理部１０３により、任意の１台の携帯電話機２を使用したハンズフリー通話を行う。このハンズフリー通話は、相手先からの着信に応答して行われるものであってもよく、または、車載用ハンズフリー通話装置１のユーザからの発信要求に応じて行われるものであってもよい。
【００４５】
次いで、ステップ２（ＳＴ２）において、優先度判定部１０４により、ハンズフリー通話に使用中の携帯電話機２の他の携帯電話機２からの着信があったか否かを判定する。そして、ステップ２（ＳＴ２）において肯定的な判定結果が得られた場合には、ステップ３（ＳＴ３）に進み、否定的な判定結果が得られた場合には、ステップ２（ＳＴ２）を繰り返す。
【００４６】
次いで、ステップ３（ＳＴ３）において、優先度判定部１０４により、ハンズフリー通話中の相手先に対応する相手先優先度関連情報と、着信相手先に対応する相手先優先度関連情報とを、記憶部１２からそれぞれ読み出す。
【００４７】
次いで、ステップ４（ＳＴ４）において、優先度判定部１０４により、ステップ３（ＳＴ３）において読み出された相手先優先度関連情報に基づいて、着信相手先の優先度が、ハンズフリー通話相手先の優先度よりも高いか否かを判定する。そして、ステップ４（ＳＴ４）において肯定的な判定結果が得られた場合には、ステップ５（ＳＴ５）に進み、否定的な判定結果が得られた場合には、ステップ１１（ＳＴ１１）に進む。
【００４８】
ここで、ステップ５（ＳＴ５）以降の工程について先に説明すると、まず、ステップ５（ＳＴ５）においては、通話接続告知部１０６により、着信相手先に対して、通話接続を告知する。
【００４９】
次いで、ステップ６（ＳＴ６）において、通話切り替え部１０３１により、着信があった他の携帯電話機２をハンズフリー通話状態に切り替えて、切り替え後の携帯電話機２を使用したハンズフリー通話を行う。
【００５０】
次いで、ステップ７（ＳＴ７）において、電話番号表示部１０６により、ステップ６（ＳＴ６）においてハンズフリー通話状態に切り替えられた携帯電話機２を使用したハンズフリー通話が終了したか否かを判定する。そして、ステップ７（ＳＴ７）において肯定的な判定結果が得られた場合には、ステップ８（ＳＴ８）に進み、否定的な判定結果が得られた場合には、ステップ７（ＳＴ７）を繰り返す。
【００５１】
次いで、ステップ８（ＳＴ８）において、電話番号表示部１０６により、ステップ１（ＳＴ１）においてハンズフリー通話を行っていた当初の相手先の電話番号をディスプレイ８に表示する。
【００５２】
次いで、ステップ９（ＳＴ９）において、ハンズフリー通話処理部１０３により、ステップ８（ＳＴ８）において表示された電話番号が選択されたか否かを判定する。そして、ステップ９（ＳＴ９）において肯定的な判定結果が得られた場合には、ステップ１０（ＳＴ１０）に進み、否定的な判定結果が得られた場合には、ステップ９（ＳＴ９）を繰り返す。
【００５３】
次いで、ステップ１０（ＳＴ１０）において、ハンズフリー通話処理部１０３により、ステップ９（ＳＴ９）において選択された電話番号に対する発信を行って、当初の相手先との通話の再開を図る。
【００５４】
一方、ステップ１１（ＳＴ１１）においては、ステップ１（ＳＴ１）において使用していた携帯電話機２のハンズフリー通話状態を維持する。
【００５５】
なお、本発明は、前述した実施の形態に限定されるものではなく、本発明の特徴を損なわない限度において種々変更してもよい。
【００５６】
例えば、優先度判定部１０４の判定結果が否定的となった場合には、着信があった携帯電話２への通話切り替えは行われないことになるが、その場合には、着信があった携帯電話機２を留守番電話モードにしてメッセージを残させたり、使用中の携帯電話機２を介したハンズフリー通話の終了後に、着信があった携帯電話機２の着信番号をディスプレイ８に選択可能に表示して、折り返し電話操作や留守電メッセージ確認操作を簡便に行えるように構成してもよい。このような構成は、制御部１０の処理によって実現すればよい。
【００５７】
また、前述した実施形態においては、相手先優先度関連情報が、車載用ハンズフリー通話装置１側でのユーザの入力情報であったが、例えば、携帯電話機２の電話帳データに、相手先の電話番号が、「会社関係」、「友達関係」、「家族」等のグループに振り分けて（対応付けて）登録されている場合には、車載用ハンズフリー通話装置１において当該電話帳データを読み込んだ上で、当該グループの情報を相手先優先度関連情報として利用してもよい。例えば、現在ハンズフリー通話に使用している携帯電話機２に対応する相手先の電話番号が、「友達関係」に属し、着信があった携帯電話機２に対応する相手先の電話番号が、「会社関係」に属している場合には、優先度判定部１０４は、優先度が高い相手先からの着信があったと判定してもよい。
【００５８】
さらに、本発明は、Bluetooth以外の無線通信を適用するようにしてもよい。
【符号の説明】
【００５９】
１  車載用ハンズフリー通話装置
２  携帯電話機
１２  記憶部
１０４  優先度判定部
１０３１  通話切り替え部
【図２】
2013223120.tif 000003
【図３】
2013223120.tif 000004
【図１】
2013223120.tif 000005